(57)【要約】      （修正有）【課題】輝度上昇シートを備えているにも拘わらず輝度維持率が高いバックライトユニットおよび液晶表示装置を提供する。【解決手段】  光取出側に開口を有する筐体２０と、前記筐体２０内に収容されたランプ１０と、前記開口を塞ぐように配設された透光性面材３０と、前記透光性面材３０よりも光取出側に配設された輝度上昇シート６０とを備え、前記透光性面材３０と輝度上昇シート６０との間には断熱層が８０設けられているバックライトユニット２とする。【選択図】  図２
2007059337.tif 000002
【特許請求の範囲】
【請求項１】
光取出側に開口を有する筐体と、前記筐体内に収容されたランプと、前記開口を塞ぐように配設された透光性面材と、前記透光性面材よりも光取出側に配設された輝度上昇シートとを備え、
前記透光性面材と輝度上昇シートとの間には断熱層が設けられていることを特徴とするバックライトユニット。
【請求項２】
前記筐体は、前記透光性面材を載置するための透光性面材載置面と、前記透光性面材載置面よりも光取出側に形成された前記輝度上昇シートを載置するための輝度上昇シート載置面とを有し、
前記透光性面材載置面に透光性面材を載置し前記輝度上昇シート載置面に輝度上昇シートを載置した状態で、前記透光性面材と輝度上昇シートとの間に前記断熱層としての間隙が形成されるよう、前記透光性面材載置面と輝度上昇シート載置面とが光取出方向に離間していることを特徴とする請求項１記載のバックライトユニット。
【請求項３】
前記間隙が前記筐体の外側と連通していることを特徴とする請求項２に記載のバックライトユニット。
【請求項４】
前記間隙内の換気を行う換気手段を備えることを特徴とすることを特徴とする請求項３記載のバックライトユニット。
【請求項５】
前記透光性面材と輝度上昇シートとの間には枠部材が配設されており、前記断熱層は前記枠部材の内側空間であることを特徴とする請求項１記載のバックライトユニット。
【請求項６】
前記断熱層は、前記透光性面材と輝度上昇シートとの間に配設された透光性断熱材であることを特徴とする請求項１記載のバックライトユニット。
【請求項７】
光取出側に開口を有する筐体と、前記筐体内部に収容されたランプと、前記開口を塞ぐように配設された透光性面材と、前記透光性面材よりも光取出側に配設された輝度上昇シートと、液晶パネルとを備え、
前記透光性面材と輝度上昇シートとの間には断熱層が設けられていることを特徴とする液晶表示装置。
【発明の詳細な説明】
【技術分野】
【０００１】
本発明は、例えば薄型テレビや画面付き携帯電話に使用されるバックライトユニットおよび液晶表示装置に関し、特に輝度上昇シートを備えたバックライトユニットおよび液晶表示装置に関する。
【背景技術】
【０００２】
バックライトユニットおよび液晶表示装置における課題の一つに輝度向上が挙げられる。近年、輝度向上のためのアイテムの一つとして輝度上昇シートが注目されている。輝度上昇シートは、透明性にすぐれた素材の表面に均一なプリズムパターンを成形した光学シートであり、光源からの拡散光を光取出方向に集光し輝度を上昇させることができる。前記輝度上昇シートは、例えば、拡散板に積層させた状態で液晶パネルの裏面側に配設される（特許文献１）。
【特許文献１】特開２００２−３１１４２０号公報
【発明の開示】
【発明が解決しようとする課題】
【０００３】
ところが、輝度上昇シートを備えたバックライトユニットは、高温環境下において、輝度上昇シートを備えていないバックライトユニットと比べて輝度維持率が低い。
本発明は、上記の課題に鑑み、輝度上昇シートを備えているにも拘わらず輝度維持率が高いバックライトユニットおよび液晶表示装置を提供することを目的とする。
【課題を解決するための手段】
【０００４】
上記課題を解決するために、本発明に係るバックライトユニットは、光取出側に開口を有する筐体と、前記筐体内に収容されたランプと、前記開口を塞ぐように配設された透光性面材と、前記透光性面材よりも光取出側に配設された輝度上昇シートとを備え、前記透光性面材と輝度上昇シートとの間には断熱層が設けられていることを特徴とする。
また、本発明に係るバックライトユニットの特定の局面では、前記筐体は、前記透光性面材を載置するための透光性面材載置面と、前記透光性面材載置面よりも光取出側に形成された前記輝度上昇シートを載置するための輝度上昇シート載置面とを有し、前記透光性面材載置面に透光性面材を載置し前記輝度上昇シート載置面に輝度上昇シートを載置した状態で、前記透光性面材と輝度上昇シートとの間に前記断熱層としての間隙が形成されるよう、前記透光性面材載置面と輝度上昇シート載置面とが光取出方向に離間していることを特徴とする。
【０００５】
さらに、本発明に係るバックライトユニットの他の特定の局面では、前記間隙が前記筐体の外側と連通していることを特徴とする。
さらに、本発明に係るバックライトユニットの他の特定の局面では、前記間隙内の換気を行う換気手段を備えることを特徴とすることを特徴とする。
さらに、本発明に係るバックライトユニットの他の特定の局面では、前記透光性面材と輝度上昇シートとの間には枠部材が配設されており、前記断熱層は前記枠部材の内側空間であることを特徴とする。
【０００６】
さらに、本発明に係るバックライトユニットの他の特定の局面では、前記断熱層は、前記透光性面材と輝度上昇シートとの間に配設された透光性断熱材であることを特徴とする。
本発明に係る液晶表示装置は、光取出側に開口を有する筐体と、前記筐体内部に収容されたランプと、前記開口を塞ぐように配設された透光性面材と、前記透光性面材よりも光取出側に配設された輝度上昇シートと、液晶パネルとを備え、
前記透光性面材と輝度上昇シートとの間には断熱層が設けられていることを特徴とする。
【発明の効果】
【０００７】
本発明に係るバックライトユニットは、筐体の開口を塞ぐように配設された透光性面材と、前記透光性面材よりも光取出側に配設された輝度上昇シートとの間に断熱層が設けられているため、輝度維持率が高い。その理由を以下に説明する。
発明者は、実験等により、輝度上昇シートを備えたバックライトユニットの輝度維持率が低いのは、ランプ点灯中の前記輝度上昇シートの透光性低下が原因であることを突き止め、さらに、前記輝度上昇シートの透光性低下は、熱による前記輝度上昇シートの褪色が原因であることを突き止めた。
【０００８】
一般に、バックライトユニットの筐体の光取出側の開口は透光性面材によって塞がれているため、筐体内にはランプの熱がこもり易く、前記透光性面材は高温になり易い。したがって、従来のバックライトユニットのように、前記透光性面材と輝度上昇シートの間に断熱層が設けられていない構成では、前記透光性面材の熱が前記輝度上昇シートに伝搬し易く、前記輝度上昇シートが褪色し易い。
【０００９】
一方、本発明に係るバックライトユニットの場合は、透光性面材と輝度上昇シートとの間に断熱層が設けられている。したがって、前記透光性面材の熱が輝度上昇シートに伝搬し難く、輝度上昇シートが褪色し難い。そのため、本発明に係るバックライトユニットは、従来のバックライトユニットよりも輝度維持率が高い。
本発明に係るバックライトユニットにおいて、透光性面材載置面に透光性面材を載置し輝度上昇シート載置面に輝度上昇シートを載置した状態で、前記透光性面材と輝度上昇シートとの間に前記断熱層としての間隙が形成される構成とした場合、透光性面材載置面に透光性面材を載置し、輝度上昇シート載置面に輝度上昇シートを載置するだけで簡単に断熱層を設けることができる。
【００１０】
さらに、間隙が筐体の外側と連通している場合、前記間隙内を換気することができるため、前記間隙内の温度がより上昇し難く、前記透光性面材の熱が輝度上昇シートにより伝搬し難い。
さらに、間隙内を換気する換気手段を備える場合、間隙内の換気をより効率的に行うことができるため、前記透光性面材の熱が輝度上昇シートにより伝搬し難い。
【００１１】
本発明に係るバックライトユニットにおいて、断熱層が前記枠部材の内側空間である場合、断熱層を形成するために筐体の構造を複雑にする必要がなく、従来のバックライトユニットの筐体を用いて本発明に係るバックライトユニットを組み立てることができる。
本発明に係るバックライトユニットにおいて、断熱層が透光性断熱材である場合、断熱層に隣接する輝度上昇シートや透光性面材が断熱層側に撓み難い。
【００１２】
本発明に係る液晶表示装置は、筐体の開口を塞ぐように配設された透光性面材と輝度上昇シートとの間に断熱層が設けられているため、前記透光性面材の熱が前記輝度上昇シートへ伝搬し難い。したがって、輝度上昇シートが褪色し難く、褪色による前記輝度上昇シートの透光性低下が起こり難いため、輝度維持率が高い。
【発明を実施するための最良の形態】
【００１３】
＜第１の実施形態＞
以下、第１の実施形態に係るバックライトユニットおよび液晶表示装置について、図面を参照しながら説明する。
図１は、第１の実施形態に係る液晶表示装置の概略構成を示す分解斜視図であり、図２は、液晶表示装置の組立状態を説明する拡大断面図であり、図３は、第１の実施形態に係るバックライトユニットを示す分解斜視図であり、図４は、内側筐体の形状を説明するための斜視図であり、図５は、内側筐体を示す平面図である。なお、図１および図２において矢印Ａで示す方向がバックライトユニットの光取出方向である。
【００１４】
図１に示すように、第１の実施形態に係る液晶表示装置１は、第１の実施形態に係るバックライトユニット２と、液晶パネル３と、カバー４とを備える。また、バックライトユニット２は、光源としての複数のランプ１０と、内側筐体２０ａおよび外側筐体２０ｂで構成される筐体２０と、透光性面材としての拡散板３０、拡散シート４０およびレンズシート５０と、輝度上昇シート６０とを備える。
【００１５】
ランプ１０は、内側筐体２０ａ内に収容されている。具体的には、図２に示すように、内側筐体２０ａの収容部２１の底面２２に、ソケット１１を介して取り付けられている。当該ランプ１０には、図示しない点灯回路から前記ソケット１１を介して電力が供給される。
筐体２０、すなわち内側筐体２０ａおよび外側筐体２０ｂは、例えば白色のポリエチレンテレフタレート（ＰＥＴ）樹脂製である。図１に示すように、内側筐体２０ａおよび外側筐体２０ｂは、それぞれ光取出側に開口２３ａ，２３ｂを有しており、図３に示すように、前記内側筐体２０ａに前記外側筐体２０ｂを外嵌させるように組み立てられている。組立て後の筐体２０は、光取出側に、内側筐体２０ａの開口２３ａと外側筐体２０ｂの開口２３ｂとからなる開口２３を有する。
【００１６】
筐体２０の収容部２１に収容されたランプ１０から発せられる光は、開口２３から外部へ取り出される。なお、収容部２１の底面２２は反射面となっているため、ランプ１０から前記底面２２側に向けて出射される光も前記底面２２で反射され開口２３から取り出される。
筐体２０の開口２３は、拡散板３０によって塞がれている。そして、拡散板３０の光取出側には、拡散シート４０、レンズシート５０および輝度上昇シート６０が順次配設されている。すなわち、ランプ１０の光は、拡散板３０、拡散シート４０、レンズシート５０および輝度上昇シート６０を透過し、筐体２０の外部へ取り出される。
【００１７】
図２および図４に示すように、内側筐体２０ａは、拡散板３０を載置するための第１の透光性面材載置面２４と、拡散シート４０およびレンズシート５０を載置するための第２の透光性面材載置面２５と、輝度上昇シート６０を載置するための輝度上昇シート載置面２６とを有する。
図５に示すように、第１の透光性面材載置面２４、第２の透光性面材載置面２５および輝度上昇シート載置面２６は、それぞれ方形枠状である。透光性面材載置面２４は内側筐体２０ａの収容部２１を囲むように、第２の透光性面材載置面２５は透光性面材載置面２４を囲むように、輝度上昇シート載置面２６は第２の透光性面材載置面２５を囲むように、それぞれ光放出方向に向けて位置をずらしながら順次形成されている。
【００１８】
したがって、内側筐体２０ａを光取出側から見たときの収容部２１の外周縁２１ａと透光性面材載置面２４の内周縁２４ａとがほぼ一致し、透光性面材載置面２４の外周縁２４ｂと第２の透光性面材載置面２５の内周縁２５ａとがほぼ一致し、前記第２の透光性面材載置面２５の外周縁２５ｂと輝度上昇シート載置面２６の内周縁２６ａとがほぼ一致する。
【００１９】
拡散板３０は、例えば方形のＰＣ（ポリカーボネート）樹脂製の板材であって厚みが２ｍｍである。当該拡散板３０には、図１に示すように、ランプ１０の配置に応じて、ドットパターン３１が形成されているため、それらランプ１０の光は、拡散板３０を透過する際に拡散され平均化されて、拡散板３０の全面から取り出される。
拡散板３０は、第１の透光性面材載置面２４の内周縁２４ａで囲まれた領域よりも一回り大きいため、拡散板３０が第１の透光性面材載置面２４に載置されれば、筐体２０の開口２３としての前記内周縁２４ａで囲まれた領域が前記拡散板３０によって塞がれる。そして、開口２３が拡散板３０で塞がれると、収容部２１は空気の出入りが少ない閉塞された空間となる。したがって、収容部２１内のランプ１０を安定した雰囲気中で点灯させることができる。
【００２０】
拡散板３０が第１の透光性面材載置面２４に載置された状態において、拡散板３０の光放出側の面と第２の透光性面材載置面２５とは略面一である。すなわち、第１の透光性面材載置面２４と第１の透光性面材載置面２５とは、光放出方向に拡散板３０の厚み分、すなわち２ｍｍ離間している。
拡散シート４０は、例えば方形のＰＣ（ポリカーボネート）樹脂製のフィルムであって厚みは０．２ｍｍである。当該拡散シート４０は、第２の透光性面材載置面２５の内周縁２５ａで囲まれた領域よりも一回り大きい。拡散シート４０が第２の透光性面材載置面２５に載置されることによって、拡散板３０と拡散シート４０とがほぼ密着した状態で積層される。
【００２１】
レンズシート５０は、拡散シート４０とほぼ同じ大きさで方形のアクリル樹脂フィルムであって、例えば厚みは０．２ｍｍである。レンズシート５０は、拡散シート４０の光取出側に積層されている。
図２および図４に示すように、第２の透光性面材載置面２５にはビス孔２７が設けられている。拡散シート４０およびレンズシート５０は、第２の透光性面材載置面２５に載置された状態で、拡散シート４０およびレンズシート５０に貫通させたビス７０をビス孔２７にねじ込んで内側筐体２０ａに固定されている。これにより、拡散板３０も、拡散シート４０と第１の透光性面材載置面２４とに挟まれるようにして固定されている。なお、拡散板３０、拡散シート４０およびレンズシート５０は、接着剤や粘着テープなどで固定しても良い。
【００２２】
輝度上昇シート６０は、ポリエステル樹脂からなる面材の一方の表面に、アクリル樹脂で均一なプリズムパターンを成形してなる透光性の光学シートである。輝度上昇シート６０としては、例えば、住友スリーエム株式会社製の輝度上昇フィルム（商品名：ＢＥＦIIシリーズ、ＢＥＦIIIシリーズ、ＲＢＥＦシリーズ、ウェーブフィルムシリーズおよびＤＢＥＦシリーズ等）が挙げられる。
【００２３】
輝度上昇シート６０は、輝度上昇シート載置面２６に載置されている。輝度上昇シート載置面２６と第２の透光性面材載置面２５とは、光取出方向に２ｍｍ離間しているため、レンズシート５０と輝度上昇シート６０との間には光取出方向の幅が１．６ｍｍの間隙が形成されており、当該間隙が断熱層８０となっている。なお、間隙には空気が存在する。
外側筐体２０ｂは、図３に示すように、輝度上昇シート６０を輝度上昇シート載置面２６に載置した状態で内側筐体２０ａに外嵌されている。これにより、輝度上昇シート６０は、外側筐体２０ｂと内側筐体２０ａとに挟まれるようにして固定されている。
【００２４】
図１および図２に示すように、液晶パネル３は、バックライトユニット２の光取出側に配設されている。具体的には、液晶パネル３を外側筐体２０ｂのパネル載置面２８に載置し、カバー４で光取出側から前記液晶パネル３の外周縁を覆うようにしてバックライトユニット２に取り付けられている。
拡散板３０は、高温環境下においてランプ１０を点灯させると、例えば約８５℃まで温度が上昇する。ランプ１０の熱が輻射により、また収容部２１内の空気を介して伝導により、拡散板３０に伝搬するからである。
【００２５】
拡散板３０に伝搬した熱は、拡散板３０に積層された拡散シート４０およびレンズシート５０にも伝搬する。そして、レンズシート５０は、例えば約８０℃まで温度が上昇する。
しかし、レンズシート５０と輝度上昇シート６０との間には断熱層８０が設けられているため輝度上昇シート６０へは熱が伝搬し難い。すなわち、レンズシート５０の熱は、断熱層８０内の空気を介して輝度上昇シート６０に伝導するため、レンズシート５０と輝度上昇シート６０とが重ね合わされていた場合のように、レンズシート５０の熱が直接輝度上昇シート６０に伝導することがない。したがって、輝度上昇シート６０は、例えば約７０℃までしか温度が上昇しない。
【００２６】
なお、僅かではあるが、ランプ１０の熱は筐体２０を介して輝度上昇シート６０へ伝搬する。したがって、内側筐体２０ａと輝度上昇シート６０との間や、外側筐体２０ｂと輝度上昇シート６０との間に、ゴム製パッキン等の断熱部材を配設しても良い。また、内側筐体２０ａおよび外側筐体２０ｂを断熱性の高い材料で作製しても良い。
＜第２の実施形態＞
図６は、第２の実施形態に係る液晶表示装置の組立状態を説明する拡大断面図であり、図７は、第２の実施形態に係るバックライトユニットの内側筐体の形状を説明するための斜視図であり、図８は、第２の実施形態に係るバックライトユニットの内側筐体の縦断面図である。なお、図６において矢印Ａで示す方向がバックライトユニットの光取出方向である。
【００２７】
第２の実施形態に係る液晶表示装置１００は、基本的に第１の実施形態に係る液晶表示装置１と同様の構成をしているが、断熱層１８０が筐体１２０の外側と連通している点、および、換気手段１８３を備えている点において大きく相違する。したがって、共通の構成部分の説明は省略または簡略するにとどめ、相違点を中心に説明する。
第２の実施形態に係る液晶表示装置１００は、図６に示すように、第２の実施形態に係るバックライトユニット１０２と、液晶パネル１０３と、カバー１０４とを備える。また、バックライトユニット１０２は、光源としての複数のランプ１１０と、内側筐体１２０ａおよび外側筐体１２０ｂで構成される筐体１２０と、透光性面材としての拡散板１３０、拡散シート１４０およびレンズシート１５０と、輝度上昇シート１６０とを備える。ランプ１１０は、内側筐体１２０ａの収容部１２１の底面１２２に、ソケット１１１を介して取り付けられている。
【００２８】
拡散板１３０、拡散シート１４０およびレンズシート１５０は、第１の透光性面材載置面１２４に拡散板１３０を載置し、拡散シート１４０およびレンズシート１５０を第２の透光性面材載置面１２５に載置した状態で、拡散シート１４０およびレンズシート１５０に貫通させたビス１７０をビス孔１２７にねじ込んで内側筐体１２０ａに固定されている。輝度上昇シート１６０は、輝度上昇シート載置面１２６に載置されており、輝度上昇シート１６０とレンズシート１５０との間に形成された間隙が断熱層１８０となっている。
【００２９】
内側筐体１２０ａの第２の透光性面材載置面１２５には、図７に示すように、断熱層１８０と筐体１２０の外側とを連通させるための連通孔１８１が設けられている。連通孔１８１は、図６に示すように、一方の開口が断熱層１８０と連通し、他方の開口が筐体１２０の外部と連通している。すなわち、連通孔１８１を介して断熱層１８０と筐体１２０の外部とが連通している。連通孔１８１は、図８に示すように、内側筐体１２０ａに２箇所設けられている。
【００３０】
なお、連通孔１８１は２個に限られず、１個以上設けられていれば良い。また、断熱層１８０と筐体１２０の外側とを連通させる方法としては、連通孔１８１を設ける以外に例えばスリットを設けるなどしても良い。
連通孔１８１は、換気口としての役割を果たす。連通孔１８１によって断熱層１８０内は換気可能であるため、断熱層１８０内の温度が上昇し難い。さらに、連通孔１８１は２箇所に設けられているため、空気が流れ易く換気効率が良い。したがって、ランプ１１０の熱が輝度上昇シート１６０に伝搬し難い。
【００３１】
一方の連通孔１８１の内部には、ファン１８２を有する換気手段１８３が取り付けられており、換気手段１８３によって断熱層１８０内の空気を強制排気可能である。換気手段１８３を作動させることによって、換気手段１８３が配設されていない方の連通孔１８１から断熱層１８０内に空気が流れ込み、断熱層１８０内に流れ込んだ空気は、換気手段１８３が配設された方の連通孔１８１から筐体１２０の外部に排気される。
【００３２】
なお、換気手段１８３は連通孔１８１の内部以外の場所、例えば筐体１２０の外部などに取り付けられていても良い。また、換気手段１８３は、ファン１８２を有するものに限られず、断熱層１８０内の空気を強制排気可能であれば良い。さらには、換気手段１８３を取り付けない場合も考えられる。
以上のように、連通孔１８１および換気手段１８３を備えているため、断熱層１８０内の換気をより効率良く行うことができ、ランプ１１０の熱が輝度上昇シート１６０により伝搬し難い。
【００３３】
＜第３の実施形態＞
図９は、第３の実施形態に係る液晶表示装置の概略構成を示す分解斜視図であり、図１０は、第３の実施形態に係る液晶表示装置の組立状態を説明する拡大断面図である。なお、図９および図１０において矢印Ａで示す方向がバックライトユニットの光取出方向である。
【００３４】
第３の実施形態に係る液晶表示装置２００は、基本的に第１の実施形態に係る液晶表示装置１と同様の構成をしているが、枠部材２８１を備えている点において大きく相違する。したがって、共通の構成部分の説明は省略または簡略するにとどめ、相違点を中心に説明する。
第３の実施形態に係る液晶表示装置２００は、図９に示すように、第３の実施形態に係るバックライトユニット２０２と、液晶パネル２０３と、カバー２０４とを備える。また、バックライトユニット２０２は、光源としての複数のランプ２１０と、内側筐体２２０ａおよび外側筐体２２０ｂで構成される筐体２２０と、透光性面材としての拡散板２３０、拡散シート２４０およびレンズシート２５０と、方形枠状の枠部材２８１と、輝度上昇シート２６０とを備える。ランプ２１０は、図１０に示すように、内側筐体２２０ａの収容部２２１の底面２２２に、ソケット２１１を介して取り付けられている。
【００３５】
内側筐体２２０ａには、拡散板２３０を載置するための載置面２２４が形成されている。載置面２２４に載置された拡散板２３０には、拡散シート２４０、レンズシート２５０、枠部材２８１および輝度上昇シート２６０が順次積層されている。すなわち、枠部材２８１は、輝度上昇シート２６０の光取出側であって前記輝度上昇シート２６０とレンズシート２５０との間に配設されている。そして、図１０に示すように、枠部材２８１の内側空間、すなわち枠部材２８１、レンズシート２５０および輝度上昇シート２６０で囲まれた空間が断熱層２８０となっている。
【００３６】
このように、枠部材２８１をレンズシート２５０と輝度上昇シート２６０の間に介在させるだけで断熱層２８０を形成することができるため、筐体２２０に複数の載置面を形成する必要がない。そのため、従来のバックライトユニットの筐体を流用して、第３の実施形態のバックライトユニットを組み立てることができる。
図１０に示すように、輝度上昇シート２６０の光取出側面が、内側筐体２２０ａの光取出側端面よりも光取出方向に位置するように設計すれば、内側筐体２２０ａと外側筐体２２０ｂとで、拡散板２３０、拡散シート２４０、レンズシート２５０、枠部材２８１および輝度上昇シート２６０を挟んで固定することができるため、ビス止めなどが不要である。
【００３７】
枠部材２８１は、熱を伝導し難い断熱性の材料で作製されている。したがって、輝度上昇シート２６０にレンズシート２５０の熱が伝搬し難い。
なお、枠部材２８１は、方形枠状のものに限らず、面材間に介在させると内側空間に断熱層２８０が形成されるものであれば良い。例えば複数の部材を前記方形枠状に組み合わせる構成でも良く、その場合各部材は断続的に枠形状を保っていても良い。また、枠部材２８１が透光性を有している場合は、ランプ２１０の光が筐体２２０の外部に到達するまでの光路上に枠部材２８１を配置することも考えられる。
【００３８】
＜第４の実施形態＞
図１１は、第４の実施形態に係る液晶表示装置の組立状態を説明する拡大断面図である。なお、図１１において矢印Ａで示す方向がバックライトユニットの光取出方向である。
第４の実施形態に係る液晶表示装置３００は、基本的に第１の実施形態に係る液晶表示装置１と同様の構成をしているが、断熱層が透光性断熱材３８０である点において大きく相違する。したがって、共通の構成部分の説明は省略または簡略するにとどめ、相違点を中心に説明する。
【００３９】
第４の実施形態に係る液晶表示装置３００は、図１１に示すように、第４の実施形態に係るバックライトユニット３０２と、液晶パネル３０３と、カバー３０４とを備える。また、バックライトユニット３０２は、光源としての複数のランプ３１０と、内側筐体３２０ａおよび外側筐体３２０ｂで構成される筐体３２０と、透光性面材としての拡散板３３０、拡散シート３４０およびレンズシート３５０と、断熱層としての透光性断熱材３８０と、輝度上昇シート３６０とを備える。ランプ３１０は、内側筐体３２０ａの収容部３２１の底面３２２に、ソケット３１１を介して取り付けられている。
【００４０】
内側筐体３２０ａには、拡散板３３０を載置するための第１載置面３２４と、拡散シート３４０、レンズシート３５０、透光性断熱材３８０および輝度上昇シート３６０を順次積層させるための第２載置面３２５が形成されている。
透光性断熱材は、例えばシリカエアロジェルのような透光性および断熱性を有する材料で成形された面材である。このように、断熱層３８０が透光性断熱材である場合、断熱層３８０に隣接する面材が前記断熱層３８０側にたわむことがないため、良好な光特性を得ることができる。
【００４１】
＜変形例＞
以上、本実施の形態に係るバックライトユニットおよび液晶表示装置を実施の形態に基づいて具体的に説明してきたが、本発明に係るバックライトユニットおよび液晶表示装置は、上記の実施の形態に限定されない。
１．断熱層について
断熱層は、必ずしもレンズシートと輝度上昇シートとの間に配置されている必要はなく、筐体の開口を塞ぐ透光性面材と前記輝度上昇シートとの間に配置することも考えられる。例えば、拡散板と拡散シートとの間や、前記拡散シートとレンズシートとの間が挙げられる。
【００４２】
また、断熱層は、複数設けられていても良い。例えば、拡散板と拡散シートとの間、拡散シートとレンズシートとの間、レンズシートと輝度上昇シートとの間の３箇所に設けられていても良い。
さらに、断熱層の光取出方向の幅は任意である。輝度上昇シートにランプの熱が伝搬し難いという観点から考えれば、断熱層の光取出方向の幅は広いほうが好ましい。
【００４３】
加えて、第１および第２の実施形態のように断熱層が間隙である場合や、第３の実施形態のように枠部材の内側空間である場合は、前記間隙や内側空間には通常空気が存在すると考えられるが、空気の代わりに、空気以外の気体、或いは液体を充填しても良い。さらには、間隙が真空状態になっていても良い。
２．輝度上昇シートについて
輝度上昇シートは、必ずしも拡散板、拡散シートおよびレンズシート等の透光性面材全ての光取出側に配設されている必要はなく、筐体の開口を塞ぐように配設された透光性面材よりも光放出側に配設されていれば良い。したがって、第１の実施形態のように筐体の開口が拡散板で塞がれている場合、輝度上昇シートは、前記拡散板よりも光放出側に配設されていれば良く、拡散シートやレンズシートが輝度上昇シートよりも光放出側に配設される場合も考えられる。
【００４４】
また、本発明に係るバックライトユニットでは、拡散板、拡散シートおよびレンズシート以外の透光性面材が筐体の光取出側に配設されていても良い。この場合、筐体の開口が拡散板以外の透光性面材によって塞がれていても良い。筐体の開口が拡散板以外の透光性面材によって塞がれている場合、輝度上昇シートは、前記透光性面材よりも光取出側に配設されていれば良く、前記拡散板の光放出側に配設されている必要はない。
【００４５】
３．その他
本発明に係るバックライトユニットおよび液晶表示装置は、第１〜第４の実施形態を組み合わせた構成であっても良い。例えば、第１の実施形態で説明したような空隙からなる断熱層と、第４の実施形態で説明したような透光性断熱部材からなる断熱層とを組み合わせても良い。すなわち、第１の実施形態に係る液晶表示装置１の輝度上昇シート載置面２６に、透光性断熱部材３８０および輝度上昇シート６０を順次載置する構成としても良い。
【００４６】
本発明に係るバックライトユニットは、直下方式のバックライトユニットに限定されず、例えば、エッジライト方式のバックライトユニットであってもよい。また、本発明に係るランプ１０としては、冷陰極ランプ、熱陰極ランプ、外部電極ランプ等が考えられる。
【産業上の利用可能性】
【００４７】
本発明に係るバックライトユニットおよび液晶表示装置は、例えば液晶テレビや液晶ディスプレイ用として利用可能である。
【図面の簡単な説明】
【００４８】
【図１】第１の実施形態に係る液晶表示装置の概略構成を示す分解斜視図である。
【図２】第１の実施形態に係る液晶表示装置の組立状態を説明する拡大断面図である。
【図３】第１の実施形態に係るバックライトユニットを示す分解斜視図である。
【図４】第１の実施形態に係るバックライトユニットの内側筐体の形状を説明するための斜視図である。
【図５】第１の実施形態に係るバックライトユニットの内側筐体を示す平面図である。
【図６】第２の実施形態に係る液晶表示装置の組立状態を説明する拡大断面図である。
【図７】第２の実施形態に係る液晶表示装置の内側筐体の形状を説明するための斜視図である。
【図８】第２の実施形態に係るバックライトユニットの内側筐体の縦断面図である。
【図９】第３の実施形態に係る液晶表示装置の概略構成を示す分解斜視図である。
【図１０】第３の実施形態に係る液晶表示装置の組立状態を説明する拡大断面図である。
【図１１】第４の実施形態に係る液晶表示装置の組立状態を説明する拡大断面図である。
【符号の説明】
【００４９】
１，１００，２００，３００  液晶表示装置
２，１０２，２０２，３０２  バックライトユニット
３，１０３，２０３，３０３  液晶パネル
２２，１２２，２２２，３２２  開口
２０，１２０，２２０，３２０  筐体
１０，１１０，２１０，３１０  ランプ
３０，１３０，２３０，２４０  透光性面材
６０，１６０，２６０，３６０  輝度上昇シート
８０，１８０，２８０，３８０  断熱層
２４，２５，１２４，１２５，３２４，３２５  透光性面材載置面
２６，１２６  輝度上昇シート載置面
１８３  換気手段
２８１  枠部材
３８０  透光性断熱材
【図１】
2007059337.tif 000003
【図２】
2007059337.tif 000004
【図３】
2007059337.tif 000005
【図４】
2007059337.tif 000006
【図５】
2007059337.tif 000007
【図６】
2007059337.tif 000008
【図７】
2007059337.tif 000009
【図８】
2007059337.tif 000010
【図９】
2007059337.tif 000011
【図１０】
2007059337.tif 000012
【図１１】
2007059337.tif 000013